Podtech/llm-jp-corpus-v4-ja_patent huggingface dataset:
(57)【要約】【課題】  植物由来のタンニンを主成分とする添加剤を、セメントと混練されやすい磁場処理した水溶液とし使いやすい定量容器入りとして提供する。  【解決手段】  セメントを混練する際の添加剤であって、植物由来の原料から抽出したタンニン水溶液に化学合成されたアミノ酸と防腐剤を加え、更にその水溶液に磁場を与えて分子配列を一定方向にさせた添加剤を一定量のセメントに必要な添加量に相当する容器に詰めたことを特徴とする。  【選択図】  図１
2010042946.tif 000002
【特許請求の範囲】
【請求項１】
セメントを混練する際の添加剤であって、植物由来の原料から抽出したタンニン水溶液に化学合成されたアミノ酸と防腐剤を加え、更にその水溶液に磁場を与えて分子配列を一定方向にさせた添加剤を一定量のセメントに必要な添加量に相当する容器に詰めたことを特徴とする定量容器入りセメント用添加剤。
【発明の詳細な説明】
【技術分野】
【０００１】
本発明は、モルタル、コンクリートの混ぜ水の低減を可能とし、少ない混ぜ水であっても高流動性で、粘性の抑制を図る定量容器入りセメント用添加剤に関する。
【背景技術】
【０００２】
従来、モルタル施工において施工性を高めるには流動性や、低粘性が求められていたため、混ぜ水を多くすることがあり、強度を確保できなくなる問題があった。
【０００３】
これらの解決のため従来は特許文献１に開示されているポリエーテル系化合物との反応物を含む添加剤などが用いられていた。しかし、化学物質過敏症への配慮からこれらの化学物質の使用はできるだけ控え、植物由来の添加剤が望まれていた。
【０００４】
また、これらの添加剤は高価であり、小規模工事など現場で混練されるコンクリートや、モルタルでは、添加剤の使用量の計量、配合が難しい問題があった。さらに粉体を水に溶かし溶解させる必要があった。
【０００５】
【特許文献１】特開２００６−２５６８８７号公報（第２、３頁、第１図）
【発明の開示】
【発明が解決しようとする課題】
【０００６】
本発明は、前記の問題に鑑みてなされたもので、植物由来のタンニンを主成分とする添加剤を、セメントと混練されやすい磁場処理した水溶液を使いやすい定量容器入りとして提供することを課題とする。  
【課題を解決するための手段】
【０００７】
本発明の定量容器入りセメント用添加剤は、セメントを混練する際の添加剤であって、植物由来の原料から抽出したタンニン水溶液に化学合成されたアミノ酸と防腐剤を加え、更にその水溶液に磁場を与えて分子配列を一定方向にさせた添加剤を一定量のセメントに必要な添加量に相当する容器に詰めたことを特徴とする。  
【発明の効果】
【０００８】
本発明によれば、モルタル、コンクリートなどを高流動性且つ保水性を高め、混練する際の水の量を少なくしても施工性を高めることができる。
【０００９】
また、従来の化学合成物質を用いた添加剤と異なり、植物由来のタンニンを主成分とするため、化学物質過敏症の発生を抑制することができる。
【発明を実施するための最良の形態】
【００１０】
図１は、本発明の定量容器入りセメント用添加剤の容器の正面図である。
【００１１】
図において、１０は定量容器入りセメント用添加剤で、定量容器２に添加溶液１が充填されて容器キャップ２ａで密封されている。
【００１２】
添加溶液１は、緑茶の茶葉を粉末化して湯でタンニン成分を抽出し、グルタミンソーダなどのアミノ酸を湯重量に対して１％以下、防腐剤を３％以下加え、後述する磁場処理を加え、溶液の分子配列を一定方向に揃え添加剤が満遍なく混練されたセメントに
いきわたるように加工された溶液である。
【００１３】
なお、植物由来のタンニン成分は茶葉、柿など種々の植物から抽出することができる。本実施の形態では茶葉を使用した例を示した。
【００１４】
定量容器２は、セメントの量に応じた定量容器とするが、例えば、２５ｋｇセメント袋の場合は混練する水の量（水セメント比４５〜５０％）に添加する適量の３５０ｃｃとする。
【００１５】
本発明の定量容器入りセメント用添加剤１０に用いる茶葉は、茶葉製造時の茶屑などの廃棄物を利用し、それらからタンニン成分を抽出して製造することができる。
【００１６】
図２は、液状物質に回転する磁場を与える装置である。
【００１７】
液状物質に回転する磁場を与える装置２０は、実用新案登録第３０８９１０５号に開示された装置で、容器２１内の液体中に支持棒２３を介して挿入された電磁石２２をモータ２５で駆動されるカム２４により上下動させると共に、モータ２８で駆動されるベルト２７を介して容器回転台２６を回転させ、液状物質に回転する磁場を与えることによって液状物質の性質を均一にする効果を有する装置である。
【００１８】
本発明では、タンニン成分を抽出し、アミノ酸を加えた添加溶液１を容器２１に収容し、６Ｖの電圧をかけた電磁石２２を上下させながら容器回転台２６を回転させる工程を３分間行った後一旦停止させ再び回転させる操作を３回繰り返すことで、溶液の分子配列を一定方向に揃えた添加剤となる。
【００１９】
本発明では、従来の添加剤のように、粉末ではなく、セメントと骨材を混練する混ぜ水に満遍なくいきわたり易く、セメントに反応し易い状態の加工を施し定量容器に充填されているため、小規模現場でのコンクリート、モルタル混練を容易におこなうことができる。
【００２０】
又、予め混練されコンクリートミキサー車で搬入されるコンクリート又はモルタルに本発明の定量容器入りセメント用添加剤を加え、現場でコンクリート又はモルタルの流動性や保水性を改質させることもできる。
【図面の簡単な説明】
【００２１】
【図１】本発明の定量容器入りセメント用添加剤の容器の正面図である。
【図２】液状物質に回転する磁場を与える装置である。
【符号の説明】
【００２２】
１    添加溶液
１ａ  茶葉粉末
２    定量容器
２ａ  容器キャップ
１０    定量容器入りセメント用添加剤
２０    液状物質に回転する磁場を与える装置
２１    容器
２２    電磁石
２３    支持棒
２４    カム
２５    モータ
２６    容器回転台
２７    ベルト
２８    モータ
２９    装置台
【図１】
2010042946.tif 000003
【図２】
2010042946.tif 000004
(57)【要約】      （修正有）【課題】生ごみ堆肥化装置の運転時に、悪臭の発生を抑制し、堆肥化時間を短縮でき、砂漠や乾燥地の緑化にも使用できる保水性の良好な堆肥の製造方法を提供する。【解決手段】生ごみに珪藻土粒を添加し、均一に混合することにより、嫌気性菌の増殖を抑制し、好気性菌を活性化して堆肥化処理を行う。【選択図】なし【特許請求の範囲】
【請求項１】
生ごみを堆肥化する際に予め適当量の珪藻土粒を添加、均一に混合しておく。
その結果珪藻土粒の好気性菌の活性化作用に拠り次の三点のメリットが期待できる。
−生ごみからの堆肥化の時間が大幅に短縮できる。
−珪藻土粒にはミクロン単位の孔が連続的に内部を走っているので、その穴に入った空    気は長時間内部に溜まり徐徐に外部に輩出されることに拠り、好気性菌の活性化に役    立つ。その分嫌気性菌の増殖を抑えることになる。従って、臭いは従来のアンモニア    、メタンの悪臭に代わり、フルーツの臭いとなり、その結果従来の脱臭装置が不要と    なる。この事実は小規模な生ごみ堆肥化装置で簡単に実証されている。
−最大のメッリットは出来た堆肥のなかに乾燥地でのベストな保水剤が５−１０％が含    まれていること。
珪藻土粒は従来砂漠、乾燥地での保水剤として使われてきたゼオライト、パーライト    と比較して約倍の保水性があります。従って珪藻土粒を含んだ最終製品である堆肥は    砂漠、乾燥地での緑化の決め手になるものと期待されます。
【発明の詳細な説明】
【技術分野】
【０００１】これまで珪藻土粒は水処理装置の濾過剤として使われてきたが、生ごみ処理時の好気生菌の増殖剤としての機能に注目した結果前項の〔特許請求項１〕で述べた三点のメリットが期待できることとなった。
【背景技術】
【０００２】珪藻土粒にはミクロン単位の穴が連続的に内部を走っているのでその穴に一旦取り入れられた水と空気は長時間かかってゆっくりと外部に輩出されるため、好気性菌の増殖に寄与するのではないかと考えた。又この事実は実験に拠り実証された。
【発明の開示】
【発明が解決しようとする課題】
【０００３】−堆肥化のスピードアップを図りたい。
−堆肥化時に出る悪臭を抑えたい。
−出来た堆肥に保水性最高の珪藻土粒の性能を栽培に生かしたい。
【課題を解決するための手段】
【０００４】生ごみの固形物の含量にも拠るが、乾燥地での土壌改良剤として使うには最終製品の堆肥に珪藻土粒が重量換算５−１０％含まれるような添加量が望ましい。
【発明の効果】
【０００５】上記〔０００４〕の珪藻土粒の添加量で〔０００３〕の課題は解決される予定。事情によっては重量換算１０％より多少多めに添加することもありうる。但しこの場合最終堆肥製品が従来品より高く販売できましょう。
【発明を実施するための最良の形態】
【０００６】珪藻土粒を多く添加すればそれだけ〔０００３〕の課題は解決しやすくなるが生ごみの成分にもよるので５−１０％の範囲でどの程度がベストかケースバイケースで予めテストしておく必要がありましょう。
【実施例】
【０００７】実験室規模では上記〔０００３〕の効果は何度も実証されてるので問題はないと思う。
又微生物の活性化の効果についてもこれまで多方面で実証されているので問題はないと思う。
【産業上の利用可能性】
【０００８】〔０００３〕の効果が現実であれば，高価につく脱臭装置が不要になるので、これを活用した堆肥化装置は原価が安く出来るので従来の装置に簡単に取って代わる事になりましょう。又海外での砂漠緑化（例：エジプト）の日本からのＯＤＡプロジェクトの有力案件となりましょう。
(57)【要約】      （修正有）【課題】底部が小さく、薄く、軽い、弥生式土器の独特のフォルムを、重力による土垂れがなく、容易に作るための弥生式土器の製作方法を提供する。【解決手段】台１の上で体部２を逆さまから粘土紐または粘土板を積み上げて作り、円盤状底部３を取付け、台１にシッタ４を置き、その上に体部２と底部３で構成された本体を正立させ、口縁部５を取付ける。逆さまから作ることによって、重力で避けられなかった土垂れが無くなったため、底部が小さく薄く軽い弥生式土器の独特のフォルムを可能にする。【選択図】図１
2010042974.tif 000002
【特許請求の範囲】
【請求項１】
台１の上で体部２を逆さまから作り、底部３を取付け、台１にシッタ４を置き、体部２底部３で構成された本体を正立させ、口縁部５を取付けた弥生式土器。
【発明の詳細な説明】
【発明の詳細な説明】
【発明の属する技術の分野】
【０００１】この発明は、弥生式土器を作るための製作方法に関するものである。
【背景技術】
【０００２】従来は底部、体部と作り始め、口縁部を取付けていた。そのため底部が広く、分厚く重い土器であった。
【発明が解決しようとする課題】
【０００３】本案は、逆さまから作ることによって、底部が小さく薄く軽い弥生式土器の独特のフォルムを可能にするものである。
【課題を解決するための手段】
【０００４】今解決手段を図面をおって説明すれば、
イ、台１の上で体部２を逆さまから粘土紐または粘土板を積み上げ作り、円盤状の底部３を取付ける。
ロ、台１にシッタ４を置き体部２底部３を正立させ口縁部５を取付ける。
【発明を実施するための最良の形態】
【０００５】本案は以上のような製作方法であるから、台１の上で体部２を逆さまから粘土紐または粘土板を積み上げ作り、円盤状の底部３を取付ける。台１にシッタ４を置きその上に体部２底部３で構成された本体を正立させ、口縁部５を取付ける。
【発明の効果】
【０００６】イ、逆さまから作ることによって、重力で避けられなかった土垂れが無くなったため、底部が小さく薄く軽い弥生式土器の独特のフォルムを可能にするものである。更に縄文土器やより薄く軽い庄内式土器も製作可能である。
ロ、学術的実証が出来れば考古学上の定説を覆すことになり、学問的、文化的な功績につながる。
【図面の簡単な説明】
【図１】本発明の製作方法図
【符号の説明】
１、台  ２、体部  ３、底部  ４、シッタ  ５、口縁部
【図１】
2010042974.tif 000003
(57)【要約】【課題】本発明は牡犬のオシッコの失敗からくる飼い主のストレスやパンツ着用時の圧迫からくる湿疹及び発情期の過発情の軽減。さらに安価で何度も取り替えやすい使い捨てナプキンを使用出来る。【解決手段】本発明はパンツ中央部に立体型ペニス入れ２を取り付けた事、足の根元部分をカットしたところ。【選択図】図１
2010042004.tif 000002
【特許請求の範囲】
【請求項１】
１、従来品の平面ではなく、ペニスが当たる中央部分にペニス袋を付け、その中に使い捨てナプキンが入るようにしたところ。
【請求項２】
１、足の付け根部分を大きくカットし、身体に添うように半円型にしたところ。
【発明の詳細な説明】
【技術分野】
【０００１】本発明は牡犬のストレスから来るオシッコの失敗・病中・病後や介護が必要な犬、旅行時等のパンツの蒸れからくる湿疹、又、発情期の過発情を少しでも減らそうと考えたものである。
【背景技術】
【０００２】従来品は、ペニスが立体的に入る袋部分や足の付け根が添う様にカットされたものがなかった。
【発明の概要】
【発明が解決しようとする課題】
【０００３】高額な介護用オムツしかなく、腹巻き型も使い捨てナプキンを使用出来るものがなく、室内が汚れやすかった。さらにペニスうらに湿疹が出来やすく、アセモに悩まされていた。又、発情期に使用することによって過発情を押さえペニス先の出血を減らしたい等の課題を解消するためになされたものである。
【課題を解決するための手段】
【０００４】腹巻き型パンツのペニスがあたる部分２、を立体にすることによって蒸れを防ぎ、湿疹が出来にくく、さらに足の付け根もカットすることによってパンツのづれを少なくし、動きやすく、ペニス袋の中に使い捨てナプキンを使用出来る様にした。又、ペニスカバー２にもなるので過度の発情を押さえることも出来る。
【発明の効果】
【０００５】老犬やトイレのしつけがうまくいっていない室内犬等をこの腹巻き型パンツをはかせることによってオシッコの失敗や知らぬ間の過発情を気にする事なく、犬の行きたい所に自由に行かせてあげられるので、飼い主にとってもストレスの軽減になり、全体的なオムツと違い、ナプキンだけの取りかえなので安価ですみ、シャンプーも減らせるし、室内も汚れにくい。
【図面の簡単な説明】
【０００６】
【図１】本発明の平面図である。
【図２】本発明の断面図である。
【発明を実施するための形態】
【０００７】以下、本発明の実施の形態について説明する。
（イ）パンツの中央に穴をあけ、別布でペニス袋を作り縫りあわせ、使い捨てナプキンが入るようにする
（ロ）足の付け根を添うようにカットする。
【符号の説明】
【０００８】１、腹巻き型パンツ本体
２、ペニス袋
３、マジックテープ
４、足の付け根カット部分
【図１】
2010042004.tif 000003
【図２】
2010042004.tif 000004
(57)【要約】      （修正有）【課題】牡犬用ペニス袋付き腹巻き型尿もれパンツと併用することによって、牡犬のオシッコの失敗やパンツ着用時の圧迫からくる不快な湿疹及び発情時の過発情を防ぐことが出来、しかも安価で何度も取り替えやすい使い捨てナプキンにした。【解決手段】使い捨てナプキンを円形に作り、使用時は裏面のテープをはずし、一部円すい形になる様に張りあわせパンツ中央部のペニス袋に添うように入れ、圧迫感なく使用出来るようにする。【選択図】図１
2010042003.tif 000002
【特許請求の範囲】
【請求項１】
１、牡犬用使い捨てナプキンを作ったところ。
２、人間型の様な長方形ではなく、円形にすることによって牡犬のペニス部分以外にオシッコがつきにくくなったところ。
３、裏面をテープにし、ペニス袋付き尿もれパンツのペニス袋内部に円すい形にして張りあわすことで添うようにしたところ
【発明の詳細な説明】
【技術分野】
【０００１】本発明は牡犬用ペニス袋付き腹巻き型尿もれパンツの中に入りやすく、しかも犬の腹にもれた尿が付きにくくする為に考えたものである。
【背景技術】
【０００２】今までに犬用使い捨てナプキンを見つけた事がなく、人間用を使用していた。
【発明の概要】
【発明が解決しようとする課題】
【０００３】高額なオムツしかなく、手軽に使用出来るものがなかった。
又、立体型腹巻きと併用することによって室内の汚れや飼い主のストレス、ペニスの湿疹、発情期の過発情等の課題を解消するためになされたものである。
【課題が解決するための手段】
【０００４】牡犬用ペニス袋付き腹巻き型尿もれパンツと併用する事によって、尿もれを防ぎ室内の汚れの軽減と全体型オムツより安価で手軽に使用出来る。
【発明の効果】
【０００５】老犬やしつけの失敗した室内犬等に腹巻き型パンツと併用する事によってペニス以外にナプキンについたオシッコがふれることがなく湿疹が出来にくく、犬自身にイヤな臭いがつきにくく、飼い主のストレスも減らせるし、安価なので取り替えやすい。
【図面の簡単な説明】
【０００６】
【図１】本発明の平面図である。
【図２】本発明の組み立てた時の側面図である。
【発明を実施するための形態】
【０００７】以下、本発明の実施の形態について説明する。
（イ）ナプキンを円形にし、裏面のテープをはがし、円すい形にして腹巻き型パンツの中央部のペニス袋に添う様にはりつける。
【符号の説明】
【０００８】１、ナプキン本体
２、テープでひっつける。
【図１】
2010042003.tif 000003
【図２】
2010042003.tif 000004
(57)【要約】【課題】塗装作業時において養生作業手間の省力化することにより非塗装物に対しての養生使用材料を軽減させることを可能とする。【解決手段】塗装作業時において（図）４▲７▼養生持ち送り装置を設置して（図）４▲８▼ビニール材等を庇状、衝立状に養生することにより非塗装物に対しての養生手間及び養生使用材料を軽減させることを可能とする。【選択図】図４
2010042388.tif 000002
【特許請求の範囲】
【請求項１】
塗装施工時の養生作業手間及び養生材を省力化する折り曲げ機構を有する平面型持ち送り装置
【請求項２】
塗装施工時の養生材を折り曲げ機構を有する平面型持ち送り装置を用いて庇状、衝立状（棚受け形状）にすることの出来る持ち送り装置
【発明の詳細な説明】
【技術分野】
【０００１】本発明は、塗装作業において塗装養生の持ち送り装置を用いビニール、紙等を庇状、衝立状に養生することにより養生使用材料を軽減させるものである。
【背景技術】
【０００２】平面状の養生持ち送り装置（図１）▲３▼を折り曲げることにより棚受け形状にして（図１）▲５▼を折り曲げることにより（図１）に加重が加わったとしても想定した角度以上おり曲がらない機構を持つものである。【０００３】（図１）▲１▼の材質は、厚紙、堅紙、段ボール紙等で軽量かつ生産性、作業性に優れる。
又この材質は、プラスチック系、プラスチック段ボール等を使用し使い回し（リユース）出来るようにすると尚更良い。【０００４】（図２）▲６▼持ち送り装置支軸部を自在な個所に折り曲げる事での角度を調節出来る、そのため庇状持ち送り装置付き養生を作業環境に適した角度に調節出来る効果がある。
【発明の開示】
【発明が解決しようとする課題】
【０００５】本発明が解決しようとする問題点は、塗装作業時に非塗装物を全面的に養生する必要があった。
【課題を解決するための手段】
【０００６】本発明は、塗装作業時に持ち送り装置を設置してビニール等を庇状、衝立状に養生することにより非塗装物の養生を省力化（必要最低限の養生）する事を特徴とする。
【発明の効果】
【０００７】本発明は、塗装作業時に持ち送り装置を庇状、衝立状に養生する事が出来る為、従来施工前作業として必要であった非塗装物の養生が省力化されるため従来発生していた養生ゴミ（産業廃棄物）の発生量がおおよそ五分の一以下に軽減できる利点がある。
【発明を実施するための最良の形態】
【０００８】平面的な紙状なものを持ち送り形状にする為、切り込み、折り目を設けることで庇状、衝立状の突き出した形状の養生を実現する。
【実施例１】
【０００９】（図１）▲１▼持ち送り装置は、設置作業前の状態は、平面的な形状であるため、重ねて保有することが出来る（小さく積み重ねる事が出来る。）【００１０】（図２）▲１▼持ち送り装置は、養生作業時に（図１）▲３▼を折り曲げることにより棚受け形状にしたものを非塗装物の外周に張り付けポリエスチレンシートをその周りに張り付け庇状にすることで養生材（ポリエスチレンシート）の使用料を軽減できる。【００１１】（図１）▲１▼の全長は、塗装作業時の飛散量や非塗装物の面積に応じて５０ミリのものや３００ミリのものを作業用途に応じて使い分けることが出来る。
【産業上の利用可能性】
【００１２】塗装養生作業時に養生材を使用する量を最小限にすることが出来るので産業廃棄物を軽減させる効果がある。【００１３】塗装養生作業時に非塗装物を全面的に覆う必要が無くリフォーム工事等の場合、施主に圧迫感を与えない又工事のための日常作業の制約を軽減できる。
【図面の簡単な説明】
【００１４】
【図１】折り曲げ機構付平面型持ち送り装置の全体図
【図２】折り曲げ機構付平面型持ち送り装置の折り曲げ状態の全体図
【図３】折り曲げ機構付平面型持ち送り装置の折り曲げ状態の側面図
【図４】折り曲げ機構付平面型持ち送り装置の折り曲げ状態の使用例の図
【符号の説明】
【００１５】▲１▼  折り曲げ機構付平面型持ち送り装置本体
▲２▼  折り曲げ機構付平面型持ち送り装置支受部
▲３▼  支受折り曲げ部
▲４▼  支軸受け切れ目部
▲５▼  支軸受け折り曲げ部
▲６▼  支軸受け部
▲７▼  折り曲げ機構付平面型持ち送り装置本体
▲８▼  ポリエスチレンシート
▲９▼  窓（非塗装物）
【図１】
2010042388.tif 000003
【図２】
2010042388.tif 000004
【図３】
2010042388.tif 000005
【図４】
2010042388.tif 000006
(57)【要約】【課題】ヒートン金具をねじ込むのに、電動ドライバーを使用してねじ込むことができなかった【解決手段】ヒートン金具１を、ホルダー３で受け、中心線挟み込みかぎ込み２に挟み込み、ドライバー挟み込み部４を電動ドライバーに装着して、ねじこむことができる【選択図】図１
2010162678.tif 000002
【特許請求の範囲】
【請求項１】
ヒートン金具を、電動ドライバーにてねじ込むことができるように、ドライバービットの先端に、ヒートン金具受け機能を持たせた、ドライバー先端工具
【請求項２】
ヒートン金具のねじ込み中心線を、ドライバーの中心線に合わせるための、挟み込み機能を備え、左右への振れ止め機能を持つドライバー先端工具
【発明の詳細な説明】
【技術分野】
【０００１】この発明は、ドライバーの先端工具に関するものである
【背景技術】
【０００２】従来のドライバー先端工具には、ヒートン金具を支え持ちねじ込む機能が備わっていなかった
【発明の開示】
【発明が解決しようとする課題】
【０００３】この発明は、ドライバー先端工具に、ヒートン金具を支え持つ機能を持たせたものである
【課題を解決するための手段】
【０００４】この機能をドライバーの先端部に持たせるために、Ｙ字型のホルダーや、四角等の形のものに左右への振れ止めのためのねじ込み支え板をもたせる。そしてドライバーの中心線に合わせるため、ヒートンの中心線挟み込みかぎ込みを持たせてある
【発明の効果】
【０００５】この発明により、電動ドライバーによりヒートン金具がねじ込めるようになる
【発明を実施するための最良の形態】
【０００６】  この発明の一実施形態を、図１、図２、にて示す。
図１に示されるように、Ｙ字型のホルダー３にヒートン金具１を挟み込み、中心線合せかぎ込み板２にて中心線を合わす。電動ドライバー挟み込み部分４を電動ドライバーに挟み込みねじ込むことができる。図２に示されるように中心線合わせかぎ込み板は、ドライバー軸にそってスライドするようになっており、ストッパー５にて適切なる位置に止められる。電動ドライバー差し込み部４を差し込み電動ドライバーにてヒートン金具をねじ込むことができる。
【実施例】
【０００７】図３に示すように、四角いフレームにヒートン金具中心線挟み込み部をもたせ、ねじ込みホルダー６にて左右の振れを止め、ねじ込み止めを持たないヒートン金具のため、ねじ込み下部支え７をもうけ、電動ドライバーにてねじ込めるように製作することも考えられる。
【図面の簡単な説明】
【０００８】
【図１】この発明の一実施形態を示す正面図である。
【図２】この発明の側面図である
【図３】この発明の他の実施形態によるものの正面図である
【符号の説明】
【０００９】  １、ヒートン金具      ２、中心線挟みかぎ込み      ３、ホルダー
４、ドライバー挟み込み部    ５、ストッパー    ６、ねじ込みホルダー
７、下部ねじ込み支持板
【図１】
2010162678.tif 000003
【図２】
2010162678.tif 000004
【図３】
2010162678.tif 000005
(57)【要約】      （修正有）【課題】破損を最小限にする面取りカッターを提供する。【解決手段】面取りの刃先部と工具のチャッキング部（装着部）とを二つに分け、回転動力をコイルスプリング４の弾性力によって刃先部に伝えることにより、加工プログラムミスや人的ミスによって刃部に強い力が加わった時に刃部の回転を止める事ができ、刃部と加工物の破損が最小限になり面取りの加工ミスをなくす事ができる。【選択図】図１
2010162676.tif 000002
【特許請求の範囲】
【請求項１】
面取りの刃先部と工具のチャッキング部（装着部）とを二つに分け、回転動力をコイルスプリングの弾性力によって刃先部に伝えることにより、加工プログラムミスや人的ミスによって刃部に強い力が加わった時に刃部の回転を止める事ができ、刃部と加工物の破損が最小限になり面取りの加工ミスをなくす事ができる。
【請求項２】
加工プログラムや人的ミスによって刃部に強い力が加わった時にチャッキング部の内部にあるコイルスプリングが縮む事によって刃先部がチャッキング部の方向へ押し上げられ、刃部と加工部の破損が最小限になり、面取りの加工ミスをなくす事ができる。
【発明の詳細な説明】
【技術分野】
【０００１】  この発明は、加工物上面の面取り加工をする時に起こりえるプログラムミスや人的ミスなどにより、刃物が加工物に衝突した際の加工物と刃物の破損を最小限にする事が出来るようにした物である。
【背景技術】
【０００２】  従来の面取り加工に適する工具は、刃物部と機械装着部が一体式の物である（例えば、特許文献１参照）。
【特許文献１】特開平１１−３２０２３２号
【発明の開示】
【発明が解決しようとする課題】
【０００３】  以上に述べた従来の面取りカッターでは、本体部と刃先部が一体式の物しかなくプログラムミスや人的ミスにより加工物に衝突した時に、加工物も面取りカッターも破損し使用不可能になる場合がほとんどであった。【０００４】  従来の面取り加工に適する工具では、プログラムミスや人的ミスなどにより刃先部が加工物に衝突した時に刃先部が破損してしまうと再度使用することが出来なくなる。したがって、新しい工具を購入しなくてはならないので、非常にロスが多くなる。【０００５】  本発明は、特に短納期、多品種、少量生産の工作機械、主にＮＣ機器での加工工程の最後の面取り加工でのプログラムミスや人的ミスにより加工物と面取りカッターが衝突した場合両方とも破損してしまい、加工物も面取りカッターも使用不可能になる場合を何とか回避する必要がある。
【課題を解決するための手段】
【０００６】  本発明は、上記目的を達成するために、刃物部と機械接着部を切り離し、加工部と面取りカッターの衝突時に刃物部の回転を止め、工具の回転により面取りが大きくならない様にする。【０００７】  さらに、刃物部と加工物が衝突した時に機械装着部の内側に刃物部が格納される事により、衝撃を吸収し刃物部と加工物の破損を最小限にすることが出来る。【０００８】  本発明により刃物部と本体を分けることが出来るので刃先部のみを新しく購入して、本体部はそのまま使用することができる。【０００９】  図２の本体部は、上記のように再度使用するこができるので、カッター部分のみの購入でよくなり資源の無駄がなく、コストダウンにもつながるのである。
【発明を実施するための形態】
【００１０】  この発明の実施形態について図を参照しながら説明する。この面取りカッターは刃先部図３とチャッキング部図２の二つ分ける。
【００１１】  この二つ分けられた図３は刃先部をチャッキング部図２の穴（ａ）に、図３の１１の雌ねじ部を挿入していき、図１の７のワッシャを穴（ｂ）の方向から入れて１０のキャップボルトで刃先部が抜けないようにワッシャと刃先部を固定する。
【００１２】  次に本発明の最も重要な部分である、図１の４のコイルスプリングを図１穴（ｂ）から入れて図１の穴（ｂ）の３の雌ねじ部に図１の６のスクリュウプラグを入れていき、刃先部が上下に可動するトルクを加工物の硬度によって加工の適したコイルスプリングの反発力の強さを調整していき、図１の５のスクリュウプラグで６のスクリュウプラグを固定させることにより一体化することができる。
【図面の簡単な説明】
【００１３】
【図１】  刃先部とチャッキング部（本体）を結合させた形状を横から見た断面図
【図２】  チャッキング部（本体）を横から見た断面図
【図３】  刃先部を横から見た外観図
【符号の説明】
【００１４】  １−刃先部
２−本体
３−雌ねじ
４−コイルスプリング
５−スクリュウプラグ
６−スクリュウプラグ
７−ワッシャ
８−交換可能なチップ
９−チップ固定ボルト
１０−キャップボルト
１１−雌ねじ
【図１】
2010162676.tif 000003
【図２】
2010162676.tif 000004
【図３】
2010162676.tif 000005
(57)【要約】【課題】ディスクグラインダーを使用する際、スイッチがオンの状態で電源プラグを差し込んでも、使用中に本体を誤って落としたとしても、高速回転する砥石を瞬時に覆う回転可動式安全カバーを提供する。【解決手段】既設安全カバー（１）に回転可動式安全カバー（２）を取り付け、中心のバネ（３）により、本体より手が離れたら瞬時に高速回転する砥石全面をカバーが覆い安全を確保するのを特徴とする。【選択図】図１
2010162680.tif 000002
【特許請求の範囲】
【請求項１】
ディスクグラインダーに設置されている既設の安全カバー（１）の上から中心部にバネが内蔵された安全カバー（２）をとりつけ、手を離すとバネの反動により、重なったカバーが円の中心を軸に回転し、砥石全体を覆う安全カバー装置。
【発明の詳細な説明】
【技術分野】
【０００１】  この発明は、ディスクグラインダーの安全カバーにバネ内蔵の可動式カバーを取り付け、ティスクグラインダーの安全強化対策に関するものである。
【背景技術】
【０００２】  従来、ディスクグラインダーの安全カバーは固定式で手前にしか無かった。
【発明の開示】
【発明が解決しようとする課題】
【０００３】  ディスクグラインダーを使用する際、スイッチの確認不足により電源プラグを差し込んだ途端、砥石が高速回転し、指を切傷したり使用中に本体を落とし被災するといった問題を有していた。
【課題を解決するための手段】
【０００４】  ディスクグラインダーの既設の安全カバー（１）の上から中心部にバネを内蔵した回転可動式安全カバー（２）を取り付ける。
本発明は、以上の構成によりなる安全カバー装置である。
【発明の効果】
【０００５】  既存のディスクグラインダーに簡単に脱着が出来、これを装着することで、スイッチの確認不足による予想外の危険や、誤って手から落とした時に生じる重大災害を、瞬時に砥石全体を安全カバーが覆うことにより未然に防止することができ、より安全にティスクグラインダーを使用することが出来るようになった。危険なリスクを下げ、安全最優先を心掛けた建設業、製造業などに適している。
【発明を実施するための最良の形態】
【０００６】以下、本発明を実施するための最良の形態について説明する。
既設の安全カバー（１）にバネを内蔵した回転可動式安全カバー（２）をしっかりと固定する。使用前に保持レバー（４）を引き、手を離したらカバーが閉じることを確認する。本発明は、以上のような構造である。
この安全カバーを有効に活用するために始業前の点検を行うものとする。
【図面の簡単な説明】
【０００７】
【図１】    本発明の斜視図である。
【図２】    本発明の断面図である。
【符号の説明】
【０００８】  １  既設の安全カバー
２  回転可動式安全カバー
３  バネ
４  保持レバー
【図１】
2010162680.tif 000003
【図２】
2010162680.tif 000004
(57)【要約】【課題】芯２を食い切る恐れがないとともに、加工工程が少なくかつバラツキが少ないシャープペンシルのチャック１を提供する。【解決手段】頭部１Ａを太径に構成するとともに、長手方向に伸びた切溝１Ｅにより前記頭部１Ａを複数に分割し、この頭部１Ａを締具３に押圧して閉じることによって芯保持部で芯２を保持するシャープペンシルのチャック１において、チャック１の芯保持部を前方に位置する方が太径となる複数の孔部１Ｂ、１Ｃにより形成し、かつ、最小径の孔部１Ｃを芯２の外径より太径に構成する。【選択図】図１
2010162698.tif 000002
【特許請求の範囲】
【請求項１】
頭部を太径に構成するとともに、長手方向に伸びた切溝により前記頭部を複数に分割し、この頭部を締具に押圧して閉じることによって芯保持部で芯を保持するシャープペンシルのチャックにおいて、チャックの芯保持部を前方に位置する方が太径となる複数の孔部により形成し、かつ、最小径の孔部を芯の外径より太径に構成したことを特徴とするシャープペンシルのチャック。
【発明の詳細な説明】
【技術分野】
【０００１】
本発明は、芯を保持するためのシャープペンシルのチャックに関するものである。
【背景技術】
【０００２】
従来のシャープペンシルのチャックは、黄銅等の金属製のチャックを切削加工で形成していた。そして、芯保持部は芯と同等あるいは芯より若干細径に加工し、その後切削により頭部を複数に分割していた。更にその後、チャックの頭部を拡大加工して製造していた。
【０００３】
しかし、拡大加工したチャックは、加工工程が多く生産性が悪いとともにバラツキが大きく希望する形状が得られない欠点があった。
【０００４】
この点を改良したものとして、芯径より太径の芯保持部を形成し、拡大工程を省略したノック式シャープペンシルのチャックが知られている。（特許文献１参照）
【０００５】
しかし、芯保持部を芯径より太径に形成したものは、チャックの前端のみで芯を保持するために強い筆圧が生じた時には芯を食い切ってしまう恐れがあった。
【先行技術文献】
【特許文献】
【０００６】
【特許文献１】実開昭５３−５４１３８号公報
【発明の概要】
【発明が解決しようとする課題】
【０００７】
解決しようとする問題点は、切削加工した金属製のチャックを拡大加工すると加工工程が多くなるとともにバラツキが大きくなってしまう点と、芯保持部を芯径より太径にすると芯を食い切ってしまう点である。
【課題を解決するための手段】
【０００８】
本発明は、頭部を太径に構成するとともに、長手方向に伸びた切溝により前記頭部を複数に分割し、この頭部を締具に押圧して閉じることによって芯保持部で芯を保持するシャープペンシルのチャックにおいて、チャックの芯保持部を前方に位置する方が太径となる複数の孔部により形成し、かつ、最小径の孔部を芯の外径より太径に構成したことを最も主要な特徴とする。
【発明の効果】
【０００９】
本発明のシャープペンシルのチャックは、芯保持部を前方側が太径となる複数の孔部により段部を形成するので、拡大加工が省略されてコストダウンとなるとともにチャックのバラツキも少なくなり、更に、端部及び段部で芯を保持するので芯の食い切りも解消できる利点がある。
【図面の簡単な説明】
【００１０】
【図１】図１は本発明のシャープペンシルのチャックを示す縦断面図である。（実施例１）
【図２】図２は本発明のシャープペンシルのチャックにより芯を保持した状態を示す縦断面図である。（実施例１）
【図３】図３は図２の主要部を示す拡大縦断面図である。（実施例１）
【発明を実施するための形態】
【００１１】
拡大工程を省略してバラツキを少なくするという目的を、芯の食い切りがないシャープペンシルのチャックで実現した。
【実施例１】
【００１２】
以下、図１、図２及び図３に基づいて本発明における実施例１のシャープペンシルのチャックを説明する。尚、図１の左側を前方とし右側を後方とする。黄銅製のチャック１は、頭部１Ａを太径に構成するとともにその後方を円筒形に構成する。更に、チャック１の前部内側に形成された芯保持部を前方側が太径となる２つの孔部１Ｂ、１Ｃで構成し、芯保持部に段部１Ｄを形成する。又、細径の孔部１Ｃが芯２の外径より太径に構成する。このチャック１の前端より後方に向かって切溝１Ｅを３つ形成し、チャック１の頭部１Ａを３等分して撓み可能に構成する。
【００１３】
したがって、チャック１の芯保持部は段になったキリによって１工程で２つの孔部１Ｂ、１Ｃが加工できるとともに、拡大工程がなくなるので、加工工程が少なくなるとともに、チャック１の形状もバラツキが少なく構成できる。
【００１４】
前記チャック１をシャープペンシルに組み込んで、チャック１の頭部１Ａを締具３に押圧するとチャック１は閉じられて図２及び図３に示した状態となり、チャック１の前端１Ｆと段部１Ｄにより芯２を保持する。したがって、芯２はチャック１の２箇所で保持されるとともに、前端１Ｆと段部１Ｄが芯２に食い込んだ場合には、２つの孔部１Ｂ、１Ｃの内面で芯２を保持するので芯２を食い切ってしまう恐れはない。
【００１５】
また、芯２の外径が０．５７ｍｍの場合には、チャック１の芯保持部は前方の孔部１Ｂが内径０．８０ｍｍで長さが１．０ｍｍとし、後方の孔部１Ｃが内径０．７７ｍｍで長さが０．８ｍｍとすることが、芯２を確実に保持できるとともに芯２の食い切りがなく好ましい。
【００１６】
更に、芯２の外径が０．３８ｍｍの場合には、チャック１の芯保持部は前方の孔部１Ｂが内径０．６１ｍｍで長さが１．０ｍｍとし、後方の孔部１Ｃが内径０．５８ｍｍで長さが０．８ｍｍとすることが、芯２を確実に保持できるとともに芯２の食い切りがなく好ましい。
【００１７】
尚、上記実施例１は締具３にテーパー面３Ａが形成されているが、チャックの頭部にテーパー面を形成することも従来のチャック同様に可能である。また、チャックの芯保持部は、２つの孔部に限定されるものではなく、前方に位置する方が太径であれば３つの孔部で構成することも可能である。更に、チャックの孔部内面の中央に長手方向に伸びた溝を形成したり、孔部内面に螺旋溝を形成すれば芯を保持する力が向上しより好ましいものである。
【産業上の利用可能性】
【００１８】
芯を食い切る恐れがなく、かつ、加工工程が少なくてバラツキが少ないシャープペンシルのチャックに適用できる。
【符号の説明】
【００１９】
１    チャック
１Ａ    チャック１の頭部
１Ｂ    チャック１の孔部
１Ｃ    チャック１の孔部
１Ｅ    チャック１の切溝
２    芯
３    締具
【図１】
2010162698.tif 000003
【図２】
2010162698.tif 000004
【図３】
2010162698.tif 000005
(57)【要約】      （修正有）【課題】保護帽を保管するのに平置き収納できるようにする。【解決手段】収納具の中に保護帽を縦に重ねて保管する。保護帽を出し入れ出来る断面積分の開放部数ヶ所設ける。保護帽は収納具天辺から底まで上下一直線に下降出来るよう、「縦長の連続開放部」を設ける、保護帽の取り出し方法は「縦長の連続開放部」に沿ってヘルメットの庇を手で持って最寄の「保護帽出し入れ開放部」まで平行移動する、もう片方の手で取り出したい保護帽を引き抜く、こんど保護帽を収納する時はその逆を行う。収納具天辺からも出し入れ可能だ。【選択図】図２
2010162303.tif 000002
【特許請求の範囲】
保護帽を縦に重ねて収納し、その本体前面部に数ヶ所、保護帽出し入れ可能な開放部を設け、又収納具上部からも出し入れ出来、前面部天辺から底まで「縦長の連続開放部」も設ける。底部は保護帽受け棚を設け、転倒防止金具を施した、重ね置型保護帽収納具。
【発明の詳細な説明】
【技術分野】
【０００１】本発明は毎日使用する保護帽の収納、保管に関するものである。
【背景技術】
【０００２】従来、建設現場等では、プレハブ事務所の壁面に５人用、２人用、１人用を選んで壁掛け保護帽収納具をビスで固定して使用している。
【特許文献１】実用新案出願平１１−７２５６  （有）第一クリエイト
【特許文献２】実用新案出願平  ４−２５５５４  荻野信明
【発明の開示】
【発明が解決しようとする課題】
【０００３】  今までの商品では保護帽を保管するのに、コンクリート面や鉄板の壁面の事務所の場合、取り付け出来ないケースがあり、平置き収納できるように本発明は考案した。
【課題を解決するための手段】
【０００４】  収納具に保護帽を縦に重ねて収納出来るようにした。
本体前面部に数ヶ所出し入れ可能な開放部を設け、保護帽の出し入れはそこからと収納具上部から行い、収納具前面中央部に天辺から底まで「縦長の連続開放部」を設けた。底部は保護帽受け棚を設け、そして転倒防止金具を施した重ね置型保護帽収納具。
【発明の効果】
【０００５】ビスや釘が使えないコンクリート面の場合や大家さんとの入居時での契約で壁面が使用できないマンションを事務所使用とする時など、壁掛け保護帽収納具が使用出来ないケースの場合利点がある。当該収納具は立面でなく平面を使用するため置き場所の選択肢が多く、省スペースで経済的。
収納具の一番下に位置する保護帽はその上の保護帽をすべて取り出さなくても最下段の開放部から取り出し出来るようにし、中段に有る保護帽も最寄の数ヶ所の開放部から取り出す事が出来、収納具の取り付けも簡単にできる。
【発明を実施するための最良の形態】
【０００６】  以下、本発明の実施の形態を説明します。
（イ）収納具上部（１）は保護帽が入るサイズようにし、又保護帽の一部（庇部）を持って前面部天辺から底まで上下に下降出来るよう「縦長の連続開放部」（２）を設ける。
（ロ）収納具の数ヶ所に保護帽を引き抜いたり、差込んだり出来るよう保護帽断面積分の開放部（３）を設ける。
（ハ）収納具の底部（４）は地面より少し上で止め、保護帽のあご紐等が床に落ちないような構造にする。
（二）収納具の転倒防止のため縦支柱（５）と置き台を金具を使いビス止め（６）する。
（ホ）収納具の一番下の保護帽を引き抜く時、片手で下から二番目の保護帽の庇を持って少し持ち上げ、もう一方の手で「保護帽出し入れ開放部」からそれ引き抜く。収納の場合は逆の手順で行う。
（ヘ）収納具中段にある保護帽を引き抜く時は最寄の「保護帽出し入れ開放部」迄「縦長の連続開放部」沿いに引き上げて置き、もう片方の手で目的の保護帽を引き抜く。収納の場合は逆の手順で行う。
（ト）収納具の天辺からも数個下の保護帽の出し入れ出来る。
本発明は以上の構造です。
【図面の簡単な説明】
【０００７】
【図１】本発明の斜視図
【図２】本発明の使用状態を示す斜視図
【符号の説明】
【０００８】（１）収納具上部、（２）上下連続開放部、（３）保護帽出し入れ開放部、（４）底部、（５）縦支柱、（６）転倒防止金具
【図１】
2010162303.tif 000003
【図２】
2010162303.tif 000004
(57)【要約】【課題】スキーなどの冬季のスポーツや、屋外作業時の手の冷えを手軽に簡単に解消できるようにする。【解決手段】携帯カイロを腰に巻きつけて使用できるように伸縮調節のできるベルトを有した筒状袋の内部に表側から出し入れできるメッシュ製の袋を設けた装置である。この装置の両側へ手袋をしたままの手を出し入れできるので簡便に手が暖まり冷えを解消することができる。【選択図】図２
2010162307.tif 000002
【特許請求の範囲】
【請求項１】
携帯カイロを表側から出し入れできるメッシュ製のポケット袋と腰に巻きつけて使用できる伸縮調節のできるバンドを備え手袋のまま両手を両側から差し込み携帯カイロポケットに触ることができるように筒状に突き抜けた構造になっている袋状携帯カイロ入れ。
【発明の詳細な説明】
【技術分野】
【０００１】  この発明は、主に手を温められるように携帯カイロを腰に巻きつけて使用できるようにベルトを有した筒状袋の内部に表側から出し入れできるようにメッシュ製の袋を設けた装置に関するものである。
【背景技術】
【０００２】  スキー等の冬のスポーツ時の手足の冷えは大きな問題である。特に中高年層の人たちにとっては切実な問題である。携帯カイロはその解消に便利なものであるが、その使用の方法はウェアのポケットに入れたり体の一部に貼り付けて使用するものがほとんどである。
【発明が解決しようとする課題】
【０００３】  また冬のスポーツ時には手袋をしたままであることが多い。このような状態の時でも手をいつでも手軽に温かくできるように発明されたものである。
【課題を解決する手段】
【０００４】  本発明は、手をいつでも手軽に温められるように携帯カイロを腰に巻きつけて使用できるように伸縮調節のできるベルトを有した筒状袋の内部に表側から出し入れできるメッシュ製の袋を設けた装置である。
【発明の実施形態】
【０００５】  次に本発明を図１から図４に示す実施形態に基づいて詳細に説明する。図中１は携帯カイロであり、図２のメッシュ製袋２とそれを表側から出し入れできファスナーで開閉できる口３を備え、伸縮調節のできるベルト５，６と装脱着が簡単にできるバックル７を有した筒状本体袋４で構成された装置である。メッシュ袋２は携帯カイロに空気を常に供給しやすいようにメッシュ状の素材を使用する。筒状本体袋４は手袋をはめた両手を挿入しやすくするため概略三角状の付け根を持ち、ベルト５、６に連続している。またベルト５，６は筒状本体袋４の上側に位置づけられ安定して人体への装着ができる。筒状本体袋４は保温性にも優れ水にも強くすぐに乾くウレタン製で起毛の生地を裏打ちしてある。また表側に外付けポケット８を備え、ここに寒さに弱いカメラ電池などを入れて暖めておくこともできる。また筒状本体袋４は両側にマジックテープ、ホック、ボタン、ファスナー等の本体留め具９で閉じることも可能である。
【発明の効果】
【０００６】以上説明してきた発明により、特にスキーのリフトに乗っている時には手を十分に温めることが可能である。また寒い屋外での水仕事に従事している人にもゴム手袋のまま時々温めることができ、その効果は実用性に優れたものである。
【図面の簡単な説明】
【図１】本発明の斜視図
【図２】本発明の表側を取り除いた説明図
【図３】本発明の横断面図
【図４】本発明の使用状態説明図
【符号の説明】１…携帯カイロ
２…メッシュ袋
３…ファスナー付き出入り口
４…筒状本体袋
５…ベルト
６…伸縮ベルト
７…バックル
８…外付けポケット
９…本体留め具
【図１】
2010162307.tif 000003
【図２】
2010162307.tif 000004
【図３】
2010162307.tif 000005
【図４】
2010162307.tif 000006
(57)【要約】      （修正有）【課題】調理鍋をガスコンロの上へ載せて使用すると、ガスの燃焼火炎は、調理鍋の底面を舐めた後、周囲の空気中へ霧散するので、調理鍋の熱効率が低い。即ち、ガスの燃焼火炎はその一部が調理鍋の底面へ触れるだけである。調理鍋の底面へ触れないガスの燃焼火炎は、その保有熱量の一部が輻射によって調理鍋へ吸収されるだけで、残余のガスの燃焼火炎の保有熱量は、空気中へ散逸している。本発明は、ガス調理鍋の熱効率を高めて、ＣＯ２を削減するためのガス調理鍋のＣＯ２削減器を提供する。【解決手段】調理鍋の周壁外面へ嵌める金属板のバンドを設け、金属板のバンドはバネ状に構成して調理鍋の周壁外面へ密着するようにし、金属板のバンドの外周面へ、歯車状に折り曲げた吸熱板を溶着させる。【選択図】図１
2010162301.tif 000002
【特許請求の範囲】
【請求項１】
調理鍋の周壁外面へ嵌める金属板のバンドを設け、金属板のバンドはバネ状に構成して、調理鍋の周壁外面へ密着するようにし、金属板のバンドの外周面へ歯車状に折り曲げた吸熱板を溶着したガス調理鍋のＣＯ２削減器。
【発明の詳細な説明】
【技術分野】
【０００１】  本発明は、ガス調理鍋へ装着してガスの熱効率を高めるガス調理鍋のＣＯ２削減器に関するものである。
【背景技術】
【０００２】  調理鍋をガスコンロの上へ載せて使用すると、ガスの燃焼火炎は調理鍋の底面を舐めた後上昇して、周囲の空気中へ霧散している。
【先行技術文献】
【０００３】
【特許文献１】  特開２００６−２３８９９２号公報
【特許文献２】  実開１９９４−５２７２２号公報
【発明の概要】
【発明が解決しようとする課題】
【０００４】  調理鍋をガスコンロの上へ載せて使用すると、ガスの燃焼火炎は調理鍋の底面を舐めた後上昇して周囲の空気中へ霧散するので、調理鍋の熱効率が低い。即ち、ガスの燃焼火炎の一部が調理鍋の底面へ触れるだけで、調理鍋の底面へ触れないガスの燃焼火炎は、その保有熱量の一部が輻射によって調理鍋へ吸収されるだけで、残余のガスの燃焼火炎の保有熱量は、空気中へ霧散している。
【課題を解決するための手段】
【０００５】  調理鍋の周壁外面へ嵌める金属板のバンドを設け、金属板のバンドはバネ状に形成して、調理鍋の周壁外面へ密着するようにする。金属板のバンドの外周面へ、歯車状に折り曲げた吸熱板を溶着する。
以上の構成よりなるガス調理鍋のＣＯ２削減器
【発明の効果】
【０００６】（イ）調理鍋をガスコンロの上へ載せて使用したときの熱効率は約６０％といわれている。従って調理に使用するガス量の大きな部分が無駄に散逸してＣＯ２を増大させている。また夏期には、冷房のための消費電力とＣＯ２の増大を招いている。
（ロ）ガスコンロによる調理は、全世界で毎日行われているので、ガスコンロで調理鍋を使用するときの熱効率を高めることはＣＯ２の削減に大きく貢献する。
（ハ）このガス調理鍋の吸熱バンドは、取り付け、取り外しが簡単なので、調理鍋を使用後に吸熱バンドを取り外すと、調理鍋の掃除が簡単で、調理鍋の保管にも便利である。
（ニ）長年の使用によって、調理鍋の熱効率が下がった時は、吸熱バンドを取り換えるだけで、再び吸熱率を高めることができる。
【図面の簡単な説明】
【０００７】
【図１】本発明のガス調理鍋のＣＯ２削減器の断面図
【図２】本発明のガス調理鍋のＣＯ２削減器の平面図
【発明を実施するための形態】
【０００８】（イ）調理鍋（１）の周壁外面（２）へ嵌める金属板のバンド（３）を設ける。
（ロ）金属板のバンド（３）は、バネ状に形成して、調理鍋の周壁外面（２）へ嵌めるとき、金属板のバンド（３）を押し広げて嵌めることができるようにする。また嵌めたとき金属板のバンド（３）が調理鍋の周壁外面（２）へ密着するように形成する。
（ハ）金属板のバンド（３）の外周壁面へ歯車状に折り曲げた吸熱板（４）を溶着する。
（ニ）金属板のバンド（３）は、調理鍋の取っ手の部分をさけるため、周縁部の一部分（５）が切り欠いである。
（ホ）金属板のバンド（３）は、バネ状に形成されているので、一般の家庭で使用されている調理鍋の外径が少し違っても、調理鍋の外周壁面へ密着する。
（ヘ）調理鍋の底面または周壁外面へ、複数個の吸熱金属板を溶着することが考えられるが、製造上著しく手間がかかるのでコストが上昇し、調理鍋の掃除や保管に不便なので、現実的でない。
（ト）吸熱片付の調理鍋をアルミ鋳物で作る方法もあるが、これは調理鍋が重くなるので使用に不便であり、実用的でない。
本発明は以上のような構造である。
（チ）本発明を使用するときは、深型の調理鍋の周壁外面へ吸熱バンドを嵌めて、ガスコンロの上へ載せて使用する。この場合、一般の家庭で使用されている調理鍋の外径が、メーカーによって多少異なるので、吸熱バンドをバネ状に形成してある。外径の大きく異なる調理鍋に対しては，外径の異なる数種類の吸熱バンドを用意して対応する。
【符号の説明】
【０００９】（１）調理鍋、（２）調理鍋の周壁外面、（３）バンド、（４）吸熱板、（５）吸熱バンドの切れ目、（６）調理鍋の蓋、（７）調理鍋の取っ手。
【図１】
2010162301.tif 000003
【図２】
2010162301.tif 000004